(57)【特許請求の範囲】
【請求項１】
基材表面にステルスインクによって印刷が施された第１の領域と、前記基材表面にステルスインクによって印刷が施されていない第２の領域とを組み合わせて所定の配列に並べてなる表示部と、
前記第１及び第２の領域に全部または一部が重なるように前記表示部上に所定の配列に並べられて設けられたエンボス部とを有し、
前記第１の領域と前記第２の領域のいずれか一方がドットから構成されている偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【０００６】
さらに、このような印刷万線をステルスインクを用いて印刷することによって、偽造防止媒体表面のデザインを損ねることなく、セキュリティ性を向上させることが考えられる。印刷万線をステルスインクを用いて印刷すれば、紫外線を照射しなければ印刷万線を視認することができないため、通常ではこの偽造防止媒体の構造が認識されず、それにより、偽造防止媒体表面のデザインが損なわれることなく、かつ、セキュリティ性が向上することとなる。
【先行技術文献】
【特許文献】
【０００７】
【特許文献１】特開２０００−３１３１６１号公報
【発明の概要】
【発明が解決しようとする課題】
【０００８】
しかしながら、上述したように、印刷万線をステルスインクを用いて印刷した偽造防止媒体においては、偽造防止媒体表面のデザインが損なわれることがないものの、印刷万線は１方向に延びて形成されるものであるため、紫外線を照射するだけでその構造が容易に認識されてしまい、セキュリティの面で優れているとは言い難い。
【０００９】
本発明は、上述したような従来の技術が有する問題点に鑑みてなされたものであって、潜像による偽造防止構造の解析を困難とすることができる偽造防止媒体を提供することを目的とする。
【課題を解決するための手段】
【００１０】
上記目的を達成するために本発明は、
基材表面にステルスインクによって印刷が施された第１の領域と、前記基材表面にステルスインクによって印刷が施されていない第２の領域とを組み合わせて所定の配列に並べてなる表示部と、
前記第１及び第２の領域に全部または一部が重なるように前記表示部上に所定の配列に並べられて設けられたエンボス部とを有し、
前記第１の領域と前記第２の領域のいずれか一方がドットから構成されている。
【００１１】
上記のように構成された本発明においては、可視光が照射された状態では偽造防止構造が認識されず、また、紫外線を照射した状態においては、基材の法線方向から観察した場合と観察方向を基材の法線方向から変化させていった場合とで、表示部において第１及び第２の領域の色によって視認される色が変化し、それにより、真偽判別が可能となる。この際、表示部においては、基材表面にステルスインクによって印刷が施された第１の領域と、基材表面にステルスインクによって印刷が施されていない第２の領域とが組み合わされて所定の配列に並べられ、第１の領域と第２の領域のいずれか一方がドットから構成されているため、紫外線を照射した場合、万線に比べてドットの外形や複数のドット間のピッチ等が認識しにくく、この偽造防止構造を再現することが困難となる。また、ステルスインクの乱反射の特性によっても、複数のドットのそれぞれにおけるステルスインクによる反射を正確に認識することは困難であるため、偽造防止構造を再現することが困難となる。
【発明の効果】
【００１２】
以上説明したように本発明においては、基材表面にステルスインクによって印刷が施された第１の領域と、基材表面にステルスインクによって印刷が施されていない第２の領域とを組み合わせて所定の配列に並べてなる表示部と、第１及び第２の領域に全部または一部が重なるように表示部上に所定の配列に並べられて設けられたエンボス部とを有し、第１の領域と第２の領域のいずれか一方がドットから構成されている構成としたため、紫外線を照射した場合、万線に比べてドットの外形や複数のドット間のピッチ等が認識しにくく、ステルスインクの乱反射の特性によっても、複数のドットのそれぞれにおけるステルスインクによる反射を正確に認識することが困難となり、それにより、潜像による偽造防止構造の解析を困難とすることができる。
【図面の簡単な説明】
【００１３】
【図１】本発明の偽造防止媒体の実施の一形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部の構成を示す図、（ｆ）は（ｂ），（ｄ）に示した凸部の構成を示す図である。
【図２】図１に示した偽造防止シートを正面から観察した場合の作用を説明するための図であり、（ａ）は可視光下での見え方を示す図、（ｂ）は紫外線を照射した状態での見え方を示す図である。
【図３】図１に示した偽造防止シートに対して紫外線を照射した状態において、その観察方向を正面から変化させていった場合の作用を説明するための図であり、（ａ）は凸部について側面方向から見た図、（ｂ）は凸部について側面方向から見た図、（ｃ）〜（ｆ）は偽造防止構造の見え方を示す図である。
【図４】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部の構成を示す図、（ｆ）は（ｂ），（ｄ）に示した凸部の構成を示す図である。
【図５】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部の構成を示す図、（ｆ）は（ｂ），（ｄ）に示した凸部の構成を示す図である。
【図６】本発明の偽造防止媒体の他の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部の構成を示す図、（ｆ）は（ｂ），（ｄ）に示した凸部の構成を示す図である。
【発明を実施するための形態】
【００１４】
以下に、本発明の実施の形態について図面を参照して説明する。
【００１５】
図１は、本発明の偽造防止媒体の実施の一形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部１３の構成を示す図、（ｆ）は（ｂ），（ｄ）に示した凸部１４の構成を示す図である。
【００１６】
本形態の偽造防止シート１は図１に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられる。
【００１７】
図１（ｂ）に示すように、シート基材２に設けられた偽造防止構造１０においは、ステルスインクによって印刷が施されておらず、シート基材２の平面部３のベース色と同一の色からなる第２の領域となる背景色領域１２上に、ステルスインクによって印刷された第１の領域となるドットからなるマーク部１１がマトリックス状に複数設けられている。すなわち、偽造防止構造１０においては、ステルスインクによって印刷が施されていない背景色領域１２と、ステルスインクによって印刷が施されているマーク部１１とが組み合わされてマトリックス状に並べられており、この背景色領域１２とマーク部１１とが組み合わされて並べられた領域が表示部１５となっている。表示部１５には、エンボス部を構成する凸部１３，１４が形成されており、これら凸部１３，１４はそれぞれ複数ずつ設けられている。凸部１３，１４は図１（ｃ）〜（ｆ）に示すように、円錐から頂点の部分が取り除かれた形状であって、シート基材２の表面から平面部３の法線方向に０．０５〜０．１ｍｍ程度突出し、平面部３との境界部分が直径０．５ｍｍ以下の円形状となっている。この境界部分から離れていくに従ってその断面積が徐々に狭くなり、境界部分の反対側は平面部３と平行な頂部１３ｂ，１４ｂとなっている。凸部１３は、複数の凸部１３によって潜像となる「Ｔ」の字を表現するように複数のマーク部１１の配列方向と並行して行や列を構成して表示部１５の所定領域に形成されており、そのそれぞれは、マトリックス状に設けられた複数のマーク部１１間に形成されている。それにより、図１（ｅ）に示すように、４つのマーク部１１の一部がそれぞれ側面１３ａにかかるとともに、その４つのマーク部１１に囲まれた部分の背景色領域１２が頂部１３ｂにて表出している。また、凸部１４は、表示部１５において複数の凸部１３が形成された領域を取り囲むように、複数の凸部１３の配列方向と並行して行や列を構成して形成されており、そのそれぞれは、マトリックス状に設けられた複数のマーク部１１のうち、所定領域以外の領域に設けられたマーク部１１上に形成されている。それにより、図１（ｆ）に示すように、頂部１４ｂ及び側面１４ａがマーク部１１を含むようなものとなっている。なお、本形態にて図示する偽造防止構造１０は、説明を簡単にするために１００個のマーク部１１が１０×１０のマトリックス状に形成されたものであるが、その数を多くすればするほど、この偽造防止構造１０によって浮き上がらせることができる潜像となる文字を精細なものとすることができ、曲線等を表現しやすくなる。
【００１８】
以下に、上記のように構成された偽造防止シート１の製造方法について説明する。
【００１９】
まず、シート基材２の偽造防止構造１０が設けられる領域、すなわち、表示部１５となる領域に、１００個のマーク部１１を１０×１０のマトリックス状にステルスインクを用いて印刷する。
【００２０】
次に、マーク部１１が印刷された領域に、凸部１３，１４をエンボス版を用いて形成する。凸部１３は、マーク部１１が印刷された領域のうち、潜像となる「Ｔ」を形成する所定領域にてマトリックス状に設けられた複数のマーク部１１間に形成し、また、凸部１４は、マトリックス状に設けられた複数のマーク部１１のうち、所定領域以外の領域に設けられたマーク部１１上に形成する。
【００２１】
上述したようにして偽造防止シート１が製造され、その後、用途に応じた情報がシート基材２の情報印刷領域４に印刷されて使用されることになる。
【００２２】
以下に、上述した偽造防止シート１の作用について説明する。
【００２３】
まず、図１に示した偽造防止シート１を正面、すなわち、シート基材２の平面部３の法線方向から観察した場合の作用について説明する。
【００２４】
図２は、図１に示した偽造防止シート１を正面から観察した場合の作用を説明するための図であり、（ａ）は可視光下での見え方を示す図、（ｂ）は紫外線を照射した状態での見え方を示す図である。
【００２５】
図１に示した偽造防止シート１を、太陽光等の可視光下において、正面、すなわち平面部３の法線方向から観察した場合、マーク部１１がステルスインクによって印刷されてなるものであるため、マーク部１１は視認されず、それにより、図２（ａ）に示すように、偽造防止構造１０は認識されない。そのため、偽造防止シート１の表面全面を情報印刷領域４とすることもでき、偽造防止シート１の表面におけるデザインの自由度が向上する。
【００２６】
一方、図１に示した偽造防止シート１に対して紫外線を照射した状態において、正面、すなわち平面部３の法線方向から観察すると、マーク部１１がステルスインクによって印刷されてなるものであることから、図２（ｂ）に示すように、偽造防止構造１０においては、マトリックス状に配列した複数のマーク部１１が認識される。この際、シート基材２には、平面部３から突出した複数の凸部１３，１４が形成されているが、偽造防止シート１を正面から観察した場合は、この凸部１３，１４の突出方向から観察することになるため、マーク部１１は観察方向から遮るものが存在せずにマトリックス状に設けられた全てのマーク部１１が視認され、また、凸部１３，１４が認識されにくく、潜像「Ｔ」は浮かび上がって見えてこない。
【００２７】
次に、図１に示した偽造防止シート１に対して紫外線を照射した状態において、その観察方向を正面、すなわち、シート基材２の平面部３の法線方向から変化させていった場合の作用について説明する。
【００２８】
図３は、図１に示した偽造防止シート１に対して紫外線を照射した状態において、その観察方向を正面から変化させていった場合の作用を説明するための図であり、（ａ）は凸部１３について側面方向から見た図、（ｂ）は凸部１４について側面方向から見た図、（ｃ）〜（ｆ）は偽造防止構造１０の見え方を示す図である。
【００２９】
図１に示した偽造防止シート１に対して紫外線を照射した状態において、その観察方向を正面から変化させていくと、シート基材２の平面部３に対する観察方向のなす角度が鋭角になっていく。すると、図３（ａ），（ｂ）に示すように、平面部３から突出した複数の凸部１３，１４の側面１３ａ，１４ａが、その凸部１３，１４の観察方向側に隣接する凸部１３，１４によって隠れて見えなくなっていき、頂部１３ｂ，１４ｂのみが見えるような状態となる。
【００３０】
ここで、複数の凸部１３，１４のうち、潜像を表現する凸部１３においては、図１（ｅ）に示したように、その頂部１３ｂにて背景色領域１２が表出しており、また、凸部１４においては、図１（ｆ）に示したように、ステルスインクによって印刷が施されてなるマーク部１１が頂部１４ｂにて表出している。これにより、紫外線を照射した状態においては、凸部１３の頂部１３ｂと凸部１４の頂部１４ｂとで見える色が互いに異なっている。
【００３１】
そのため、偽造防止シート１に対する観察方向を、例えば図１中下側に変化させていき、複数の凸部１３，１４の側面１３ａ，１４ａが、その凸部１３，１４の観察方向側に隣接する凸部１３，１４によって隠れて見えなくなっていき、頂部１３ｂ，１４ｂのみが見えるような状態となると、凸部１３の頂部１３ｂと凸部１４の頂部１４ｂとの見える色の違いによって、図３（ｃ）に示すように、複数の凸部１３によって構成される潜像「Ｔ」が、背景色領域１２に近い色で浮かび上がって見えるようになる。
【００３２】
ここで、図１に示した偽造防止シート１においては、表示部１５に複数のマーク部１１がマトリックス状に設けられ、この表示部１５の所定領域にて複数のマーク部１１の配列方向と並行して行や列を構成することにより潜像「Ｔ」を形成する複数の凸部１３が形成されるとともに、表示部１５における所定領域を取り囲む領域にて複数の凸部１３の配列方向と並行して行や列を構成することにより潜像「Ｔ」を取り囲む複数の凸部１４が形成されている。そのため、複数の凸部１３と複数の凸部１４とが行や列を含む略マトリックス状となっており、平面部３に対して鋭角をなすどの方向から観察した場合であっても、複数の凸部１３，１４の側面１３ａ、１４ａが、その凸部１３，１４の観察方向側に隣接する凸部１３，１４によって隠れて見えなくなっていき、頂部１３ｂ，１４ｂのみが見えるような状態となり、複数の凸部１３の頂部１３ｂにて見える色と複数の凸部１４の頂部１４ｂにて見える色との違いによって潜像「Ｔ」が浮かび上がって見えるようになる。例えば、偽造防止シート１に対する観察方向を図１中上側に変化させていくと、複数の凸部１３によって形成される潜像「Ｔ」が図３（ｄ）に示すように浮かび上がって見えるようになり、また、偽造防止シート１に対する観察方向を図１中右側に変化させていくと、複数の凸部１３によって形成される潜像「Ｔ」が図３（ｅ）に示すように浮かび上がって見えるようになり、また、偽造防止シート１に対する観察方向を図１中左側に変化させていくと、複数の凸部１３によって形成される潜像「Ｔ」が図３（ｆ）に示すように浮かび上がって見えるようになる。
【００３３】
なお、上述したどの方向から観察した場合においても、複数の凸部１４のうち観察方向最も手前の列を構成する凸部１４においては、その側面１４ａが視認可能な状態となるが、凸部１３，１４の数が多かったり、凸部１３によって構成される潜像の線幅が、観察方向最も手前の列を構成する凸部１４の側面１４ａに表出したマーク部１１による線幅よりも太かったりすること等によってこのマーク部１１が潜像とは無関係であることが認識できればよい。もし、観察方向最も手前の列を構成する凸部１４の側面１４ａに表出したマーク部１１によって潜像が不明瞭となるような場合は、潜像を形成する凸部１３を、マトリックス状に形成された複数のマーク部１１のうち、周囲から離れたマーク部１１間に設ける等すればよい。
【００３４】
このように、図１に示した偽造防止シート１においては、紫外線を照射した状態において、その観察方向を正面から変化させていった場合に潜像「Ｔ」が浮かび上がって見えることにより、真偽判別が行われることになる。
【００３５】
上述した偽造防止シート１においては、太陽光等の可視光が照射された状態では偽造防止構造１０が認識されず、紫外線を照射した状態において、ステルスインクによって印刷が施されてなるマーク部１１が認識されることになるが、シート基材２の平面部３の法線方向から観察した場合と観察方向をシート基材２の平面部３の法線方向から変化させていった場合とで、表示部１５においてマーク部１１と背景色領域１２の色によって視認される色が変化し、それにより、真偽判別が可能となる。この際、表示部１５においては、ステルスインクを用いて印刷が施されることによりドットからなるマーク部１１がマトリックス状に設けられているため、紫外線を照射した場合、万線に比べてマーク部１１の外形や複数のマーク部１１間のピッチ等が認識しにくく、この偽造防止構造１０を再現することが困難となる。また、ステルスインクの乱反射の特性によっても、複数のマーク部１１のそれぞれにおけるステルスインクによる反射を正確に認識することは困難であるため、偽造防止構造１０を再現することが困難となる。
【００３６】
（他の実施の形態）
図４は、本発明の偽造防止媒体の他の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部１１３の構成を示す図、（ｆ）は（ｂ），（ｄ）に示した凸部１１４の構成を示す図である。
【００３７】
本形態は図４に示すように、図１に示したものに対して、シート基材１０２の偽造防止構造１１０の表示部１１５となる領域にステルスインクを用いて印刷が施されることにより第１の領域となる背景色領域１１２が設けられ、この背景色領域１１２に、ステルスインクを用いて印刷が施されていないドットからなる第２の領域となる複数のマーク部１１１がマトリックス状に設けられている点のみが異なるものである。すなわち、図１に示したものに対して、ステルスインクによってマーク部１１が印刷されているのではなく、背景色領域１１２が印刷されている点が異なるものである。
【００３８】
上記のように構成された偽造防止シート１０１においては、紫外線を照射した状態において、正面から見た場合は、ステルスインクによる色の背景色領域１１２にマトリックス状に設けられたマーク部１１１がシート基材１０２の色で認識されるだけで潜像「Ｔ」は認識されない。そして、偽造防止シート１０１に対する観察方向を正面から変化させていくと、平面部１０３から突出した複数の凸部１１３，１１４の側面１１３ａ，１１４ａが、その凸部１１３，１１４の観察方向側に隣接する凸部１１３，１１４によって隠れて見えなくなっていき、頂部１１３ｂ，１１４ｂのみが見えるような状態となり、凸部１１３の頂部１１３ｂと凸部１１４の頂部１１４ｂとの見える色の違いによって、複数の凸部１１３によって形成される潜像「Ｔ」が、ステルスインクによる色に近い色で浮かび上がって見えるようになる。
【００３９】
図５は、本発明の偽造防止媒体の他の実施の形態となる偽造防止シートを示す図であり、（ａ）は全体の構成を示す図、（ｂ）は（ａ）に示した偽造防止構造２１０の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部２１３の構成を示す図、（ｆ）は（ｂ），（ｄ）に示した凸部２１４の構成を示す図である。
【００４０】
本形態は図５に示すように、図１に示したものに対して、シート基材２０２にマトリックス状に設けられたマーク部２１１の大きさが、凸部２１４の頂部２１４ｂよりも小さい点のみが異なるものである。
【００４１】
上記のように構成された偽造防止シート２０１においては、紫外線を照射した状態において、正面から見た場合は、背景色領域２１２にマトリックス状に設けられたマーク部２１１がステルスインクによる色で認識されるだけで潜像「Ｔ」は認識されない。そして、偽造防止シート２０１に対する観察方向を正面から変化させていくと、平面部２０３から突出した複数の凸部２１３，２１４の側面２１３ａ，２１４ａが、その凸部２１３，２１４の観察方向側に隣接する凸部２１３，２１４によって隠れて見えなくなっていき、頂部２１３ｂ，２１４ｂのみが見えるような状態となり、凸部２１３の頂部２１３ｂと凸部２１４の頂部２１４ｂとの見える色に違いによって、複数の凸部２１３によって形成される潜像「Ｔ」が背景色領域２１２に近い色で浮かび上がって見えるようになる。
【００４２】
図６は、本発明の偽造防止媒体の他の実施の形態となる偽造防止シートを示す図であり、（ａ）は全体の構成を示す図、（ｂ）は（ａ）に示した偽造防止構造３１０の詳細な構成を示す図、（ｃ）は（ｂ）に示したＡ−Ａ’断面図、（ｄ）は（ｂ）に示したＢ−Ｂ’断面図、（ｅ）は（ｂ），（ｃ）に示した凸部３１３の構成を示す図、（ｆ）は（ｂ），（ｄ）に示した凸部３１４の構成を示す図である。
【００４３】
本形態は図６に示すように、図５に示したものに対して、シート基材３０２の偽造防止構造３１０の表示部３１５となる領域にステルスインクを用いて印刷が施されることにより第１の領域となる背景色領域３１２が設けられ、この背景色領域３１２に、ステルスインクを用いて印刷が施されていないドットからなる第２の領域となる複数のマーク部３１１がマトリックス状に設けられている点のみが異なるものである。すなわち、図５に示したものに対して、ステルスインクによってマーク部２１１が印刷されているのではなく、背景色領域３１２が印刷されている点が異なるものである。
【００４４】
上記のように構成された偽造防止シート３０１においては、紫外線を照射した状態において、正面から見た場合は、ステルスインクによる色の背景色領域３１２にマトリックス状に設けられたマーク部３１１がシート基材３０２の色で認識されるだけで潜像「Ｔ」は認識されない。そして、偽造防止シート３０１に対する観察方向を正面から変化させていくと、平面部３０３から突出した複数の凸部３１３，３１４の側面３１３ａ，３１４ａが、その凸部３１３，３１４の観察方向側に隣接する凸部３１３，３１４によって隠れて見えなくなっていき、頂部３１３ｂ，３１４ｂのみが見えるような状態となり、凸部３１３の頂部３１３ｂと凸部３１４の頂部３１４ｂとの見える色の違いによって、複数の凸部３１３によって形成される潜像「Ｔ」が、ステルスインクによる色に近い色で浮かび上がって見えるようになる。
【００４５】
なお、上述した実施の形態における凸部１３，１４，１１３，１１４，２１３，２１４，３１３，３１４の平面部３，１０３，２０３，３０３からの高さや平面部３，１０３，２０３，３０３との境界部分の寸法については、上述したものに限らず、適宜設定が可能である。
【００４６】
また、凸部１３，１４，１１３，１１４，２１３，２１４，３１３，３１４においては、円柱形のものや頂部１３ｂ，１４ｂ，１１３ｂ，１１４ｂ，２１３ｂ，２１４ｂ，３１３ｂ，３１４ｂがない円錐形のものやドーム型のものとすることも考えられる。ただし、上述したように平面部３，１０３，２０３，３０３と平行となる頂部１３ｂ，１４ｂ，１１３ｂ，１１４ｂ，２１３ｂ，２１４ｂ，３１３ｂ，３１４ｂを有する形状の方が、背景色領域１２，１１２，２１２，３１２による色が連なる状態となって潜像を明確に浮かび上がらせることができる。また、断面が矩形状となるものとすることも考えられる。ただし、図１及び図４に示したものにおいては、凸部１３，１４，１１３，１１４のうち、少なくとも潜像を形成する凸部１３，１１３を、平面部３，１０３との境界部分が円形状のように中心からの距離が略一定となるものとした方が、どの方向から観察しても視認可能となる頂部１３ｂ，１１３ｂの形状が同一となり、凸部１３，１１３によって浮かび上がる潜像の精細な形状を均一化することができる。また、平面部３，１０３，２０３，３０３に対する形成角度においては、凸部１３，１４，１１３，１１４，２１３，２１４，３１３，３１４の側面１３ａ，１４ａ，１１３ａ，１１４ａ，２１３ａ，２１４ａ，３１３ａ，３１４ａを観察方向側に隣接する凸部１３，１４，１１３，１１４，２１３，２１４，３１３，３１４によって隠れやすくするために、平面部３，１０３，２０３，３０３の法線方向に平行に突出するように形成し、凸部１３，１４，１１３，１１４，２１３，２１４，３１３，３１４のそれぞれを円柱等の柱状に形成することが好ましい。
【００４７】
また、潜像となる情報は、上述した「Ｔ」のように複数の凸部１３，１１３，２１３，３１３が行及び列を構成したものに限らず、複数の凸部１３，１１３，２１３，３１３が行のみを構成しただけ、あるいは列のみを構成しただけのものであってもよい。また、一文字からなるものに限らず、複数の文字からなるものや模様等であってもよい。また、潜像を表現する複数の凸部１３，１１３，２１３，３１３を複数の領域に分割し、その複数の領域毎に文字等が浮かび上がる構成とすることも考えられる。また、複数の凸部１４，１１４，２１４，３１４が、背景色領域１２，１１２，２１２，３１２にて複数の凸部１３，１１３，２１３，３１３が形成された領域を完全に取り囲むのではなく、一部が開放されるようにして、複数の凸部１４，１１４，２１４，３１４が、凸部１３，１１３，２１３，３１３が形成された領域を囲むような形状であってもよい。
【００４８】
また、上述した実施の形態においては、複数の凸部１３，１１３，２１３，３１３によって潜像「Ｔ」を表現しているが、複数の凸部１４，１１４，２１４，３１４によって潜像「Ｔ」を表現してもよい。その場合は、偽造防止シート１，１０１，２０１，３０１に対する観察方向を正面から変化させていくと、複数の凸部１４，１１４，２１４，３１４の頂部１４ｂ，１１４ｂ，２１４ｂ，３１４ｂに表出している色、すなわち、マーク部１１，１１１，２１１，３１１に近い色で潜像「Ｔ」が浮かび上がって見えるようになる。
【００４９】
また、上述した実施の形態においては、背景色領域１２，１１２，２１２，３１２上にドットからなるマーク部１１，１１１，２１１，３１１がマトリックス状に並べてなる表示部１５，１１５，２１５，３１５と、表示部１５，１１５，２１５，３１５の所定領域において複数のマーク部１１，１１１，２１１，３１１間に形成された凸部１３，１１３，２１３，３１３と、表示部１５，１１５，２１５，３１５において複数の凸部１３，１１３，２１３，３１３が形成された領域を取り囲むようにマーク部１１，１１１，２１１，３１１上に形成された凸部１４，１１４，２１４，３１４とを有するものを例に挙げて説明したが、上述したような凸部１３，１１３，２１３，３１３と凸部１４，１１４，２１４，３１４とのような２種類の凸部を、互いに平行となる中心線にて分離される２つの領域のそれぞれにおいてステルスインクによる印刷が施された領域とステルスインクによる印刷が施されていない領域との面積が互いに異なり、かつ、その面積の大小関係が、中心線を介した同一方向側の領域に対して逆転するように形成されたものであってもよい。
【００５０】
また、潜像「Ｔ」を構成する凸部とそれを取り囲む凸部とを上述したようにずらして形成するのではなく、同一列及び同一行としてマトリックス状に形成し、これら２種類の凸部において、側面の平面部からの高さが互いに異なる領域の全周に渡ってマーク部を形成し、それにより、観察方向を正面から変化させていった場合に、平面部からの高さが低い領域に形成されたマーク部を見えなくして潜像「Ｔ」を浮かび上がらせる構成とすることも考えられる。
【００５１】
また、上述した実施の形態においては、偽造防止媒体として、紙からなるシート基材２，１０２，２０２，３０２に偽造防止構造１０，１１０，２１０，３１０が設けられた偽造防止シート１，１０１，２０１，３０１を例に挙げて説明したが、本発明はこのような偽造防止シート１，１０１，２０１，３０１に限らず、フィルムからなるシート基材や複数の樹脂層が積層されてなるカード基材に上述したような偽造防止構造１０，１１０，２１０，３１０を設けたものにも適用することが可能である。
【符号の説明】
【００５２】
１，１０１，２０１，３０１    偽造防止シート
２，１０２，２０２，３０２    シート基材
３，１０３，２０３，３０３    平面部
４，１０４，２０４，３０４    情報印刷領域
１０，１１０，２１０，３１０    偽造防止構造
１１，１１１，２１１，３１１    マーク部
１２，１１２，２１２，３１２    背景色領域
１３，１４，１１３，１１４，２１３，２１４，３１３，３１４    凸部
１３ａ，１４ａ，１１３ａ，１１４ａ，２１３ａ，２１４ａ，３１３ａ，３１４ａ    側面
１３ｂ，１４ｂ，１１３ｂ，１１４ｂ，２１３ｂ，２１４ｂ，３１３ｂ，３１４ｂ    頂部
１５，１１５，２１５，３１５    表示部
【図１】
0005570230.tif 000002
【図２】
0005570230.tif 000003
【図３】
0005570230.tif 000004
【図４】
0005570230.tif 000005
【図５】
0005570230.tif 000006
【図６】
0005570230.tif 000007